(57)【要約】【課題】電池切れを抑制可能なモバイル機器を提供する。【解決手段】モバイル機器１００は、ワイヤレスパワートランスミッタ２０からの電力信号Ｓ２により充電可能である。ワイヤレスパワーレシーバ１０４は、電力信号Ｓ２を受信する。充電回路１０６は、ワイヤレスパワーレシーバ１０４が受信した電力を利用して二次電池１０２を充電する。センサ１０８は、ワイヤレスパワーレシーバ１０４が、二次電池１０２の充電完了を示すＥＰＴ（End of Power Transfer）パケットをワイヤレスパワートランスミッタ２０に送信した後に、モバイル機器１００が充電台から移動されたか否かを検出する。【選択図】図３
2019071672.tif 000002
【特許請求の範囲】
【請求項１】
ワイヤレスパワートランスミッタからの電力信号により充電可能なモバイル機器であって、
二次電池と、
前記電力信号を受信するワイヤレスパワーレシーバと、
前記ワイヤレスパワーレシーバが受信した電力を利用して前記二次電池を充電する充電回路と、
前記ワイヤレスパワーレシーバが、前記二次電池の充電完了を示すＥＰＴ（End of Power Transfer）パケットを前記ワイヤレスパワートランスミッタに送信した後に、前記モバイル機器が充電台から移動されたか否かを検出するセンサと、
を備えることを特徴とするモバイル機器。
【請求項２】
前記ＥＰＴパケットの送信後、前記モバイル機器が前記充電台上に載置された状態が持続するときに、前記モバイル機器のユーザに通知する通知部をさらに備えることを特徴とする請求項１に記載のモバイル機器。
【請求項３】
前記センサは、磁気センサを含むことを特徴とする請求項１または２に記載のモバイル機器。
【請求項４】
前記センサは、加速度センサを含むことを特徴とする請求項１または２に記載のモバイル機器。
【請求項５】
前記センサは、ジャイロセンサを含むことを特徴とする請求項１または２に記載のモバイル機器。
【請求項６】
前記センサは、タッチセンサを含むことを特徴とする請求項１または２に記載のモバイル機器。
【請求項７】
前記センサは、タッチパネル含むことを特徴とする請求項１または２に記載のモバイル機器。
【請求項８】
前記センサは、物理ボタンを含むことを特徴とする請求項１または２に記載のモバイル機器。
【請求項９】
前記センサは、カメラを含むことを特徴とする請求項１または２に記載のモバイル機器。
【請求項１０】
前記センサは、照度センサを含むことを特徴とする請求項１または２に記載のモバイル機器。
【請求項１１】
前記センサは、前記ワイヤレスパワートランスミッタがアナログピング（Analog Ping）のために発生する電磁界信号を検出することを特徴とする請求項１または２に記載のモバイル機器。
【請求項１２】
前記通知部は、前記モバイル機器のユーザに、前記モバイル機器を充電台から取り除いた後に、再度、載置するように促すことを特徴とする請求項２に記載のモバイル機器。
【請求項１３】
前記通知部は、ディスプレイ装置に、前記モバイル機器を充電台から取り除いた後に、再度、載置することを促すメッセージを表示することを特徴とする請求項２に記載のモバイル機器。
【請求項１４】
前記通知部は、前記モバイル機器が前記充電台に放置されていることを通知する音声を出力することを特徴とする請求項２に記載のモバイル機器。
【請求項１５】
前記通知部は、前記モバイル機器を振動させることを特徴とする請求項２に記載のモバイル機器。
【請求項１６】
前記通知部は、前記ＥＰＴパケットが送信された後、所定時間経過後に、前記モバイル機器のユーザに通知することを特徴とする請求項２に記載のモバイル機器。
【請求項１７】
前記通知部は、前記ＥＰＴパケットが送信された後、前記電池の残量が所定のしきい値より小さくなると、前記モバイル機器のユーザに通知することを特徴とする請求項２に記載のモバイル機器。
【請求項１８】
Ｑｉ規格に準拠したことを特徴とする請求項１から１７のいずれかに記載のモバイル機器。
【請求項１９】
ワイヤレスパワートランスミッタからの電力信号により充電可能なモバイル機器の制御方法であって、
前記ワイヤレスパワートランスミッタからの電力信号を受信するステップと、
受信した電力を利用して二次電池を充電するステップと、
前記二次電池の充電が完了すると、ＥＰＴ（End of Power Transfer）パケットを前記ワイヤレスパワートランスミッタに送信するステップと、
前記ＥＰＴパケットを送信後、前記モバイル機器が充電台から移動されたか否かを検出するステップと、
前記ＥＰＴパケットの送信後、前記モバイル機器が前記充電台上に載置された状態が持続するときに、前記モバイル機器のユーザに通知するステップと、
を備えることを特徴とする制御方法。
【発明の詳細な説明】
【技術分野】
【０００１】
本発明は、ワイヤレス給電技術に関する。
【背景技術】
【０００２】
近年、電子機器に電力を供給するために、無接点電力伝送（非接触給電、ワイヤレス給電ともいう）が普及し始めている。異なるメーカーの製品間の相互利用を促進するために、ＷＰＣ（Wireless Power Consortium）が組織され、ＷＰＣにより国際標準規格であるＱｉ（チー）規格が策定された。
【０００３】
Ｑｉ規格にもとづいたワイヤレス給電は、送信コイルと受信コイル間の電磁誘導を利用したものである。図１は、Ｑｉ規格に準拠したワイヤレス給電システム１０の構成を示す図である。給電システム１０は、パワートランスミッタ２０（ＴＸ、Power Transmitter）とパワーレシーバ（ＲＸ、Power Receiver）３０ｒと、を備える。パワーレシーバ３０ｒは、携帯電話端末、スマートホン、オーディオプレイヤ、ゲーム機器、タブレット端末などの電子機器に搭載される。
【０００４】
パワートランスミッタ２０は、送信コイル（１次コイル）２２、ドライバ２４、コントローラ２６、復調器２８を備える。ドライバ２４は、Ｈブリッジ回路（フルブリッジ回路）あるいはハーフブリッジ回路を含み、送信コイル２２に駆動信号Ｓ１、具体的にはパルス信号を印加し、送信コイル２２に流れる駆動電流により、送信コイル２２に電磁界の電力信号Ｓ２を発生させる。コントローラ２６は、パワートランスミッタ２０全体を統括的に制御するものであり、具体的には、ドライバ２４のスイッチング周波数、あるいはスイッチングのデューティ比を制御することにより、送信電力を変化させる。
【０００５】
Ｑｉ規格では、パワートランスミッタ２０とパワーレシーバ３０ｒの間で通信プロトコルが定められており、パワーレシーバ３０ｒからパワートランスミッタ２０に対して、制御信号Ｓ３による情報の伝達が可能となっている。この制御信号Ｓ３は、後方散乱変調（Backscatter modulation）を利用して、ＡＭ（Amplitude Modulation）変調された形で、受信コイル３２（２次コイル）から送信コイル２２に送信される。この制御信号Ｓ３には、たとえば、パワーレシーバ３０ｒに対する電力供給量を制御する電力制御データ（パケットともいう）、パワーレシーバ３０ｒの固有の情報を示すデータなどが含まれる。復調器２８は、送信コイル２２の電流あるいは電圧に含まれる制御信号Ｓ３を復調する。コントローラ２６は、復調された制御信号Ｓ３に含まれる電力制御データにもとづいて、ドライバ２４を制御する。
【０００６】
パワーレシーバ３０ｒは、受信コイル３２、整流回路３４、平滑コンデンサ３６、充電回路３８、コントローラ４０、変調器４２を備える。受信コイル３２は、送信コイル２２からの電力信号Ｓ２を受信するとともに、制御信号Ｓ３を送信コイル２２に対して送信する。整流回路３４および平滑コンデンサ３６は、電力信号Ｓ２に応じて受信コイル３２に誘起される電流Ｓ４を整流・平滑化し、直流電圧に変換する。
【０００７】
充電回路３８は、パワートランスミッタ２０から供給された電力を利用して二次電池５０を充電する。また充電回路３８は、直流電圧ＶＲＥＣＴを昇圧あるいは降圧するコンバータを含み、コントローラ４０やその他の二次電池５０に供給する。
【０００８】
コントローラ４０は、二次電池５０に供給される電力をモニタし、それに応じて、パワートランスミッタ２０からの電力供給量を制御する電力制御データを生成する。変調器４２は、電力制御データを含む制御信号Ｓ３を変調し、受信コイル３２のコイル電流を変調することにより、送信コイル２２のコイル電流およびコイル電圧を変調する。
【先行技術文献】
【特許文献】
【０００９】
【特許文献１】特開２０１３−３８８５４号公報
【特許文献２】特許第５０７１５７４号公報
【発明の概要】
【発明が解決しようとする課題】
【００１０】
図２は、図１の給電システム１０のフローチャート（状態遷移図）である。以下の５つのフェーズが規定されているものとする。
φ１  セレクション（selection）フェーズ
φ２  ピング（ping）フェーズ
φ３  認証・設定（identification & configuration）フェーズ
φ４  ネゴシエーション（negotiation）フェーズ
φ５  パワートランスファ（power transfer）フェーズ
【００１１】
セレクションフェーズφ１では、パワートランスミッタ２０によって、パワーレシーバ３０ｒの検出が行われる。具体的には、パワートランスミッタ２０は、所定の時間（たとえば５ｍｓ）ごとに、送信コイル２２に電流を流す。送信コイル２２に流れる電流は、送信コイル２２の近傍に受信コイル３２が存在するか否かによって変化する。パワートランスミッタ２０はこの性質を利用して、パワーレシーバ３０ｒが充電台に載置されているか否かを判定する。これをアナログピング（Analog Ping）と称する。
【００１２】
パワーレシーバ３０ｒが検出されると、ピングフェーズφ２に遷移する。ピングフェーズφ２では、パワートランスミッタ２０はデジタルピング（Digital Ping）を実行し、パワーレシーバ３０ｒからの応答を待つ。デジタルピングでは、送信電力が一定に維持され、パワーレシーバ３０ｒは、パワートランスミッタ２０からの電力信号Ｓ２を電源として動作する。
【００１３】
続く認証・設定フェーズφ３において、パワートランスミッタ２０はパワーレシーバ３０ｒを特定し、送信電力などを設定する。
【００１４】
ネゴシエーションフェーズφ４では、送信電力などが再設定（reconfigure）される。パワートランスファフェーズφ５では、設定された情報にもとづき、電力伝送が行われる。
【００１５】
パワーレシーバ３０ｒにおいて、二次電池５０が満充電状態となると、コントローラ４０は、ＥＰＴ（End of Power Transfer）パケットを発生し、パワートランスミッタ２０へと送信する。
【００１６】
ＥＰＴパケットを受信したパワートランスミッタ２０は、それ以降、給電を停止する。その後は、自動的に充電を再開するプロトコルは定義されていない。つまり、パワーレシーバ３０ｒが充電台上に載置された状態であったとしても、電池切れを起こす可能性がある。
【００１７】
本発明は係る課題に鑑みてなされたものであり、そのある態様の例示的な目的のひとつは、電池切れを抑制可能なモバイル機器の提供にある。
【課題を解決するための手段】
【００１８】
本発明のある態様は、ワイヤレスパワートランスミッタからの電力信号により充電可能なモバイル機器に関する。モバイル機器は、二次電池と、電力信号を受信するワイヤレスパワーレシーバと、ワイヤレスパワーレシーバが受信した電力を利用して二次電池を充電する充電回路と、ワイヤレスパワーレシーバが二次電池の充電完了を示すＥＰＴ（End of Power Transfer）パケットがワイヤレスパワートランスミッタに送信された後に、モバイル機器が充電台から移動されたか否かを検出するセンサと、を備える。
【００１９】
この態様によると、モバイル機器が充電完了後に充電台の上に放置されていることを、端末が独自に検出できるため、充電を再開するためのトリガとして利用することができる。
【００２０】
モバイル端末は、ＥＰＴパケットの送信後、モバイル機器が充電台上に載置された状態が持続するときに、モバイル機器のユーザに通知する通知部をさらに備えてもよい。
これにより、通知を受けたユーザは、モバイル機器の充電を再開すべく何らかのアクションをとることができ、モバイル機器がユーザが知らない間に電池切れにより使用不能となるのを防止できる。
【００２１】
センサは、磁気センサを含んでもよい。
磁気センサは、地磁気を検出して、モバイル機器の筐体の移動を検出してもよい。あるいは磁気センサは、ワイヤレスパワートランスミッタの送信コイルが発生する磁気変化を検出して、モバイル機器の筐体の移動を検出してもよい。
【００２２】
センサは、磁気センサ、加速度センサ、ジャイロセンサ、タッチセンサ、タッチパネル、物理ボタン、カメラ、照度センサの少なくともひとつを含んでもよい。
【００２３】
センサは、ワイヤレスパワートランスミッタがアナログピング（Analog Ping）のために発生する電磁界信号を検出してもよい。
アナログピングのためにワイヤレスパワートランスミッタが送信アンテナに電流を流すと、それに応じた電磁界が発生する。そこでセンサによりこの電磁界が定期的に発生しているかを監視することで、モバイル機器が充電台の上に置きっぱなしであるか否かを判定できる。
【００２４】
通知部は、モバイル機器のユーザに、モバイル機器を充電台から取り除いた後に、再度、載置するように促してもよい。
【００２５】
通知部は、ディスプレイ装置に、モバイル機器を充電台から取り除いた後に、再度、載置するように促すメッセージを表示してもよい。
【００２６】
通知部は、モバイル機器が充電台に放置されていることを通知する音声を出力してもよい。
【００２７】
通知部は、モバイル機器を振動させてもよい。
【００２８】
通知部は、ＥＰＴパケットが送信された後、所定時間経過後に、モバイル機器のユーザに通知してもよい。
【００２９】
通知部は、ＥＰＴパケットが送信された後、電池の残量が所定のしきい値より小さくなると、モバイル機器のユーザに通知してもよい。
【００３０】
モバイル機器は、Ｑｉ規格に準拠してもよい。
【００３１】
なお、以上の構成要素の任意の組み合わせや、本発明の構成要素や表現を、方法、装置、システムなどの間で相互に置換したものもまた、本発明の態様として有効である。
【発明の効果】
【００３２】
本発明のある態様によれば、モバイル機器の電池切れを抑制できる。
【図面の簡単な説明】
【００３３】
【図１】Ｑｉ規格に準拠したワイヤレス給電システムの構成を示す図である。
【図２】図２は、図１の給電システムのフローチャート（状態遷移図）である。
【図３】実施の形態に係るモバイル機器のブロック図である。
【図４】モバイル機器を模式的に示す断面図である。
【図５】図４のモバイル機器の動作波形図である。
【図６】ディスプレイ装置を利用した通知の一例を示す図である。
【図７】図３のモバイル機器およびパワートランスミッタのフローチャートである。
【図８】実施の形態に係るモバイル機器を示す図である。
【発明を実施するための形態】
【００３４】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００３５】
本明細書において、「部材Ａが、部材Ｂと接続された状態」とは、部材Ａと部材Ｂが物理的に直接的に接続される場合のほか、部材Ａと部材Ｂが、それらの電気的な接続状態に実質的な影響を及ぼさない、あるいはそれらの結合により奏される機能や効果を損なわせない、その他の部材を介して間接的に接続される場合も含む。
同様に、「部材Ｃが、部材Ａと部材Ｂの間に設けられた状態」とは、部材Ａと部材Ｃ、あるいは部材Ｂと部材Ｃが直接的に接続される場合のほか、それらの電気的な接続状態に実質的な影響を及ぼさない、あるいはそれらの結合により奏される機能や効果を損なわせない、その他の部材を介して間接的に接続される場合も含む。
【００３６】
図３は、実施の形態に係るモバイル機器１００のブロック図である。モバイル機器１００は、携帯電話端末、スマートホン、オーディオプレイヤ、ゲーム機器、タブレット端末などである。
【００３７】
モバイル機器１００は、電池駆動型であり、図１のパワートランスミッタ２０からの電力信号Ｓ２により充電可能に構成される。モバイル機器１００は、二次電池１０２、パワーレシーバ１０４、充電回路１０６、センサ１０８、通知部１１０、残量検出部１１２を備える。モバイル機器１００は、Ｑｉ規格に準拠するものとする。
【００３８】
パワーレシーバ１０４は、電力信号Ｓ２を受信し、整流された直流電圧ＶＲＥＣＴを生成する。パワーレシーバ１０４は、受信コイル１２０、整流回路１２２、平滑コンデンサ１２４、コントローラ１２６、変調器１２８、を備える。受信コイル１２０は電力信号Ｓ２を受信するとともに、制御信号Ｓ３を送信コイル２０２に対して送信する。整流回路１２２および平滑コンデンサ１２４は、電力信号Ｓ２に応じて受信コイル１２０に誘起される電流Ｓ４を整流・平滑化し、直流電圧ＶＲＥＣＴに変換する。
【００３９】
コントローラ１２６は、パワーレシーバ１０４の負荷に供給される電力をモニタし、それに応じて、パワートランスミッタ２０からの電力供給量を制御する電力制御データを生成する。変調器１２８は、電力制御データを含む制御信号Ｓ３を変調し、受信コイル１２０のコイル電流を変調することにより、送信コイル２０２のコイル電流およびコイル電圧を変調する。
【００４０】
充電回路１０６は、パワートランスミッタ２０から供給された電力を利用して二次電池１０２を充電する。
【００４１】
ワイヤレスパワーレシーバ１０４は、二次電池１０２の充電が完了すると、電力送信（Power Transfer）の停止を指示するＥＰＴ（End of Power Transfer）パケットを、ワイヤレスパワートランスミッタに送信する。センサ１０８は、ＥＰＴパケットが送信された後、モバイル機器１００が充電台から移動されたか否かを検出し、移動を検出すると移動検出信号Ｓ６をアサート（たとえばハイレベル）する。
【００４２】
通知部１１０は、ＥＰＴパケットの送信後、モバイル機器１００が充電台上に載置された状態が持続するとき、言い換えれば移動検出信号Ｓ６のネゲートが持続するときに、モバイル機器１００のユーザに通知する。残量検出部１１２は、二次電池１０２の残量を検出する。パワーレシーバ１０４および充電回路１０６は、パワートランスミッタ２０からの電力信号Ｓ２を利用して動作する。一方、センサ１０８、通知部１１０、残量検出部１１２は、二次電池１０２からの電力を利用して動作してもよい。
【００４３】
続いてセンサ１０８について説明する。
【００４４】
図４は、モバイル機器１００を模式的に示す断面図である。センサ１０８は、磁気センサ１３０を備える。パワートランスミッタ２０は、ＥＰＴパケットを受信した後においても、周期的にアナログピングを発生する。アナログピングは、充電台２００に埋め込まれた送信コイル２２が発生する電磁界信号Ｓ２として把握される。磁気センサ１３０により送信コイル２２が発生する電磁界信号Ｓ２を監視することにより、モバイル機器１００が充電台２００から取り外されたか否かを判定できる。
【００４５】
磁気センサ１３０は、受信コイル１２０の近傍に配置することが望ましい。効率的に充電するためには、受信コイル１２０と送信コイル２２が対向するように、モバイル機器１００を充電台２００上に載置することが要求される。これにより磁気センサ１３０が送信コイル２２の近傍に位置することになるため、電磁界信号Ｓ２の検出感度を高めることができる。
【００４６】
図５は、図４のモバイル機器１００の動作波形図である。Ｓ５は、磁気センサ１３０により検出される電磁界に応じた検出信号である。
パワートランスミッタ２０は、所定の周期で、アナログピンを実行し、電磁界信号Ｓ２を発生する。ＥＰＴパケットの送信後、時刻ｔ１までの間、モバイル機器１００は移動されることなく充電台２００の上に載置されている。磁気センサ１３０がアナログピングに対応する周期的な磁界変化Ｓ５を検出する間は、モバイル機器１００が充電台上に載置されているものと判定される。
【００４７】
時刻ｔ１に、モバイル機器１００がユーザにより動かされると、周期的な磁界変化Ｓ５が検出されなくなる。その結果、センサ１０８は、モバイル機器１００が充電台２００から取り除かれたものと判定し、移動検出信号Ｓ６をアサート（たとえばハイレベル）する。
【００４８】
なお、センサ１０８を常時動作させておくと、センサ１０８の消費電力が大きくなり、二次電池１０２の放電が進む。そこでセンサ１０８は、パワートランスミッタ２０によるアナログピンの発生と同期して時分割的にアクティブとなるようにバースト制御することが望ましい。図５には、センサ１０８の動作期間がＴｏｐとして示される。なおモバイル機器１００が充電台２００から除去されたことが推定されると、センサ１０８を停止してもよい。
【００４９】
続いて、通知部１１０による通知について説明する。
通知部１１０は、充電完了後においてモバイル機器１００が充電台２００上に長らく放置されるとき、モバイル機器１００のユーザに、モバイル機器１００を充電台から取り除いた後に、再度、載置するように促す。
【００５０】
ユーザへの通知は、ＥＰＴパケットが送信された後、残量検出部１１２により検出される二次電池１０２の残量が所定のしきい値（たとえば８０％、あるいは５０％、あるいは３０％）を下回ったときに行ってもよい。あるいはユーザへの通知は、ＥＰＴパケットが送信された後、モバイル機器１００が充電台２００上に放置された状態で所定時間経過したときに行ってもよい。所定時間は、電池の減り方に応じて定めればよい。
【００５１】
図６は、ディスプレイ装置を利用した通知の一例を示す図である。通知部１１０は、モバイル機器１００のディスプレイ装置１４０を利用し、画面上に、モバイル機器１００を充電台から取り除いた後に、再度、載置することを促すメッセージ１４２、１４４を表示してもよい。メッセージは、テキスト形式１４２であってもよいし、画像形式１４４であってもよい。あわせて、電池残量が減っていることを示すアイコン１４６もしくはメッセージを表示してもよい。
【００５２】
ディスプレイを利用した通知に加えて、あるいはそれに代えて、通知部１１０は、モバイル機器１００が充電台２００に放置されていることを通知する音声を出力してもよい。あるいは通知部１１０は、モバイル機器１００のバイブ機能を利用して、モバイル機器１００を振動させてもよい。
【００５３】
以上がモバイル機器１００の構成である。続いてその動作を説明する。
図７は、図３のモバイル機器１００およびパワートランスミッタ２０のフローチャートである。
【００５４】
ＲＸ（モバイル機器１００）がＴＸ（パワートランスミッタ２０の充電台２００）上に置かれる。続いて拡張されたデジタルピング（Ｓ２００）、認証・設定フェーズ（Ｓ３０２）、ネゴシエーションフェーズ（Ｓ２０２）を経て、給電が開始する（Ｓ２０４、Ｓ３０４）。
【００５５】
充電が完了すると（Ｓ３０６）、モバイル機器１００からパワートランスミッタ２０にＥＰＴパケットが送信される（Ｓ３０８）。これを受けたパワートランスミッタ２０は、給電を停止する（Ｓ２０６）。ここまでの動作は、従来のＱｉ規格の給電システム１０と同様である。
【００５６】
給電停止後、パワートランスミッタ２０は、所定の周期毎にアナログピング（Ｓ２０８）を継続して実行する。モバイル機器１００の磁気センサ１３０は、アナログピングにともなう電磁界信号Ｓ２を監視し、モバイル機器１００が充電台２００から移動されたか否かを判定する（Ｓ３１０）。その結果、移動が検出されると（Ｓ３１２のＹ）、一旦、充電シーケンスは終了する。その後、ユーザがモバイル機器１００を充電台２００上に載置すると、Ｓ３００に戻り、同じ処理が繰り返される。
【００５７】
移動が検出されなくても（Ｓ３１２のＮ）、電池残量が所定のしきい値より高いうちは（Ｓ３１４のＮ）、Ｓ３１０に戻り、移動の有無が引き続き監視される。移動が検出されない状態（Ｓ３１２）が持続し、電池残量がしきい値を下回ると（Ｓ３１４のＹ）、通知部１１０はメッセージを表示する（Ｓ３１６）。このメッセージをみたユーザが、モバイル機器１００を充電台２００から一旦取り外し、再び充電台２００に戻すと、ステップＳ３００に戻り、再充電が開始される。
【００５８】
以上がモバイル機器１００を備える給電システム１０の動作である。
【００５９】
このモバイル機器１００によれば、充電完了後に、モバイル機器１００が充電台２００の上に放置されていることをユーザに知らせることができる。これにより、ユーザは、モバイル機器１００の充電を再開すべく、何らかのアクションをとることができ、モバイル機器１００がユーザが知らない間に電池切れにより使用不能となるのを防止できる。
【００６０】
以上、本発明について、実施の形態をもとに説明した。これらの実施の形態は例示であり、それらの各構成要素や各処理プロセスの組み合わせにいろいろな変形例が可能なこと、またそうした変形例も本発明の範囲にあることは当業者に理解されるところである。以下、こうした変形例について説明する。
【００６１】
センサ１０８によるモバイル機器１００の移動の有無の検出には以下の変形例がありえる。
【００６２】
（第１変形例）
センサ１０８は、実施の形態と同様に、磁気センサ（地磁気センサ）を備える。磁気センサは、地磁気を測定し、モバイル機器１００の筐体の向きが変化したか否かを監視する。これにより、筐体の向きが変化しない間は、モバイル機器１００が充電台上に載置されているものと判定し、筐体の向きが変化すると、モバイル機器１００が充電台から取り除かれたものと判定し、移動検出信号Ｓ６をアサートする。
【００６３】
（第２変形例）
センサ１０８は、加速度センサあるいはジャイロセンサを備える。加速度センサ、ジャイロセンサは、筐体の移動あるいは回転にともなう加速度を測定する。モバイル機器１００が充電台上に載置され続ける間、有意な加速度は測定されず、モバイル機器１００がユーザによって充電台から移動されると、加速度変化が測定される。センサ１０８は、モバイル機器１００の移動が検出されると、移動検出信号Ｓ６をアサートする。
【００６４】
（第３変形例）
センサ１０８は、タッチセンサあるいはタッチパネルを備える。充電を目的としてモバイル機器１００を充電台２００上に設置した後に、ユーザが意図的にモバイル機器１００を操作しない限り、タッチセンサやタッチパネルにユーザ入力が与えられる可能性は低い。そこでセンサ１０８は、タッチセンサあるいはタッチパネルへのユーザ入力の有無を監視し、ユーザ入力を検出したときには、モバイル機器１００が移動されたものと推定し、移動検出信号Ｓ６をアサートする。
【００６５】
同様の理由から、センサ１０８は、物理ボタンを供えてもよい。物理ボタンは、ホームボタンであってもよいし、ボリウム用のボタンであってもよい。センサ１０８は、物理ボタンへのユーザ入力の有無を監視し、ユーザ入力を検出したときには、モバイル機器１００が移動されたものと推定し、移動検出信号Ｓ６をアサートしてもよい。
【００６６】
（第４変形例）
センサ１０８は、カメラを備える。センサ１０８はカメラが撮像した画像を監視し、ＥＰＴ送信前の受電中に撮影された画像と、ＥＰＴ送信後に撮影された画像を対比することにより、モバイル機器１００の移動の有無を検出してもよい。
【００６７】
（第５変形例）
センサ１０８は、照度センサを備えてもよい。センサ１０８は、ＥＰＴ送信前の測定された照度と、ＥＰＴ送信後に測定された照度を比較することにより、モバイル機器１００の移動の有無を検出してもよい。
【００６８】
ここで、スマートフォンをはじめとする多くのモバイル機器１００には、他の目的で加速度センサやジャイロセンサ、タッチセンサ、タッチパネル、照度センサが搭載される。したがって、モバイル機器１００が元来具備するこれらのセンサを、モバイル機器１００が充電台２００から除去されたか否かの判定に流用することで、コストの増加を抑制できる。
【００６９】
なおモバイル機器１００の移動の有無の検出方法はこれらには限定されない。またセンサ１０８は、上述の移動検出手段の任意の組み合わせを利用してもよい。
【００７０】
（第６変形例）
実施の形態では、モバイル機器１００のユーザが、充電を再開するために、モバイル機器１００を一旦、充電台２００上から動かして、充電台２００に戻すアクションをとる場合を説明したが本発明はそれには限定されない。
たとえばパワートランスミッタ２０に、ＥＰＴパケットを受領後に、充電を再開するためのリセット機能を設けてもよい。たとえばパワートランスミッタ２０にリセットボタンを設け、通知を受けたユーザが、リセットボタンを押したことを契機として、パワートランスミッタ２０は、図７のデジタルピングＳ２００からの処理を再スタートしてもよい。
【００７１】
あるいは、パワートランスミッタ２０の充電再開を指示するリセットパケットを、パワートランスミッタ２０とモバイル機器１００の間で定義しておき、通知部１１０は、ユーザに通知する代わりに、リセットパケットをパワートランスミッタ２０に送信してもよい。リセットパケットを受信したパワートランスミッタ２０は、自動で、充電を再開してもよい。
【００７２】
（第７変形例）
実施の形態では、Ｑｉ規格に準拠するワイヤレスパワートランスミッタについて説明したが、本発明はそれに限定されず、Ｑｉ規格と類似するシステムに使用されるモバイル機器１００や、将来策定されるであろう規格に準拠するモバイル機器１００にも適用しうる。
【００７３】
最後に、電子機器の具体例を説明する。図８は、実施の形態に係るモバイル機器１００を示す図である。図８のモバイル機器１００は、スマートホン、タブレットＰＣや携帯型ゲーム機、携帯型オーディオプレイヤであり、筐体１０１の内部には、二次電池１０２、パワーレシーバ１０４、充電回路１０６、センサ１０８、ディスプレイ装置１４０、プロセッサ１５０が内蔵される。プロセッサ１５０は、無線（ＲＦ）部、ベースバンドプロセッサ、アプリケーションプロセッサ、オーディオプロセッサ等を含んでもよい。通知部１１０の機能は、プロセッサ１５０により実現されてもよい。
【００７４】
実施の形態にもとづき、具体的な用語を用いて本発明を説明したが、実施の形態は、本発明の原理、応用を示しているにすぎず、実施の形態には、請求の範囲に規定された本発明の思想を逸脱しない範囲において、多くの変形例や配置の変更が認められる。
【符号の説明】
【００７５】
１０…給電システム、２０…パワートランスミッタ、２２…送信コイル、２４…ドライバ、２６…コントローラ、２８…復調器、１００…モバイル機器、１０２…二次電池、１０４…パワーレシーバ、１０６…充電回路、１０８…センサ、１１０…通知部、１１２…残量検出部、１２０…受信コイル、１２２…整流回路、１２４…平滑コンデンサ、１２６…コントローラ、１２８…変調器、１３０…磁気センサ、１４０…ディスプレイ装置、１５０…プロセッサ、２００…充電台。
【図１】
2019071672.tif 000003
【図２】
2019071672.tif 000004
【図３】
2019071672.tif 000005
【図４】
2019071672.tif 000006
【図５】
2019071672.tif 000007
【図６】
2019071672.tif 000008
【図７】
2019071672.tif 000009
【図８】
2019071672.tif 000010
【手続補正書】
【提出日】平成31年2月22日(2019.2.22)
【手続補正１】
【補正対象書類名】特許請求の範囲
【補正対象項目名】全文
【補正方法】変更
【補正の内容】
【特許請求の範囲】
【請求項１】
ワイヤレスパワートランスミッタからの電力信号により充電可能なモバイル機器であって、
二次電池と、
前記電力信号を受信するワイヤレスパワーレシーバと、
前記ワイヤレスパワーレシーバが受信した電力を利用して前記二次電池を充電する充電回路と、
前記ワイヤレスパワーレシーバが、前記二次電池の充電完了を示すＥＰＴ（End of Power Transfer）パケットを前記ワイヤレスパワートランスミッタに送信した後に、前記モバイル機器が充電台から移動されたか否かを検出する前記センサと、
を備え、
前記センサは、前記ワイヤレスパワートランスミッタがアナログピング（Analog Ping）のために発生する電磁界信号を検出することを特徴とするモバイル機器。
【請求項２】
前記通知部は、前記モバイル機器のユーザに、前記モバイル機器を充電台から取り除いた後に、再度、載置するように促すことを特徴とする請求項１に記載のモバイル機器。
【請求項３】
前記通知部は、ディスプレイ装置に、前記モバイル機器を充電台から取り除いた後に、再度、載置することを促すメッセージを表示することを特徴とする請求項１に記載のモバイル機器。
【請求項４】
前記通知部は、前記モバイル機器が前記充電台に放置されていることを通知する音声を出力することを特徴とする請求項１に記載のモバイル機器。
【請求項５】
前記通知部は、前記モバイル機器を振動させることを特徴とする請求項１に記載のモバイル機器。
【請求項６】
前記通知部は、前記ＥＰＴパケットが送信された後、所定時間経過後に、前記モバイル機器のユーザに通知することを特徴とする請求項１に記載のモバイル機器。
【請求項７】
前記通知部は、前記ＥＰＴパケットが送信された後、前記電池の残量が所定のしきい値より小さくなると、前記モバイル機器のユーザに通知することを特徴とする請求項１に記載のモバイル機器。
【請求項８】
Ｑｉ規格に準拠したことを特徴とする請求項１から７のいずれかに記載のモバイル機器。
【請求項９】
ワイヤレスパワートランスミッタからの電力信号により充電可能なモバイル機器の制御方法であって、
前記ワイヤレスパワートランスミッタは、ＥＰＴ（End of Power Transfer）パケットを受信すると、それ以降、給電を停止するものであり、
前記制御方法は、
前記ワイヤレスパワートランスミッタからの電力信号を受信するステップと、
受信した電力を利用して二次電池を充電するステップと、
前記二次電池の充電が完了すると、ＥＰＴパケットを前記ワイヤレスパワートランスミッタに送信するステップと、
前記ＥＰＴパケットを送信後、前記モバイル機器が充電台から移動されたか否かを検出するステップと、
を備え、
前記モバイル機器が充電台から移動されたか否かの検出は、前記ワイヤレスパワートランスミッタがアナログピング（Analog Ping）のために発生する電磁界信号にもとづくことを特徴とする制御方法。